(57)【要約】【課題】収納物品が収納体内で傾倒することを抑制した包装箱を提供することを目的とする。【解決手段】側板で囲まれた空間に収納物品１が収納された箱本体と、互いに相対する２つの側板１２ｂ，１２ｄの間に配置される仕切板２１であって、側板１２ｂ，１２ｄの間の寸法に対応した幅寸法を有する仕切板２１とを備える。箱本体は、支持部材１９ｄが箱本体の内面に臨み、かつ、凹部２０ａと凸部２０ｂとが箱本体の高さ方向に沿って延在し、仕切板２１は、高さ方向に沿う一対の側縁部２１ａを備える。一対の側縁部２１ａが側板１２ｂ，１２ｄの凹部２０ａに係合されて支持され、収納物品１は、収納物品１の各面が仕切板２１に沿うように箱本体に収納される。【選択図】図４
0003208297.tif 000002
【実用新案登録請求の範囲】
【請求項１】
互いに相対する２つの側板を周面に備え、前記２つの側面で挟まれた空間に、薄板形状を有する収納物品が収納される箱本体と、
前記箱本体における前記互いに相対する２つの側板の間に配置される仕切板であって、前記互いに相対する２つの側板の間の寸法に対応した幅寸法を有する前記仕切板とを備え、
前記箱本体は、ライナと、前記ライナの一面に配されて前記箱本体の内側に臨む支持部材であって、前記箱本体の周方向と直交する高さ方向に延在する直線形状の凹部と凸部とが前記箱本体の周方向に沿って１つずつ交互に並び断面形状が波形状を有する前記支持部材とを備え、
前記仕切板は、前記高さ方向に延在する一対の側縁部を備え、前記一対の側縁部が、前記互いに相対する２つの側板の前記凹部に係合されて支持される
包装箱。
【請求項２】
前記箱本体は、両面段ボールの一方のライナに、前記支持部材が貼り合わされた構成を備える
請求項１に記載の包装箱。
【請求項３】
前記仕切板は、両面段ボールで構成されており、
前記仕切板の中芯における凹凸の延在方向が前記高さ方向に対して交差する方向となるように構成されている
請求項１または２に記載の包装箱。
【請求項４】
前記互いに相対する２つの側板の間の寸法は、前記収納物品の幅寸法に対応している
請求項１ないし３のうち何れか１項に記載の包装箱。
【考案の詳細な説明】
【技術分野】
【０００１】
本考案は、内部に仕切板が配置された包装箱に関する。
【背景技術】
【０００２】
特許文献１には、段ボールで構成された包装箱であって、収納物品を収納する箱本体の内面に波形状を有する中芯を露出させ包装箱が記載されている。
【先行技術文献】
【特許文献】
【０００３】
【特許文献１】特開２００９−９１０２８号公報
【考案の概要】
【考案が解決しようとする課題】
【０００４】
ところで、特許文献１の包装箱は、収納する収納物品の大きさや形状を配慮して、内部で収納物品が傾倒などをしないようにする工夫はなされていない。例えば、包装箱は、収納された収納物品を露出させて、商品棚などに陳列されることがある。この場合、包装箱は、上面などの少なくとも一面を開放することで、収納された収納物品を露出させることが多い。しかしながら、収納されている収納物品が包装箱内で転倒などして収納状態が崩れていると、陳列状態の収納物品の見栄えも悪くなってしまう。
【０００５】
本考案は、収納物品が内部で転倒することを抑制することを可能とした包装箱を提供することを目的とする。
【課題を解決するための手段】
【０００６】
上記課題を解決するための包装箱は、互いに相対する２つの側板を周面に備え、前記２つの側面で挟まれた空間に、薄板形状を有する収納物品が収納される箱本体と、前記箱本体における前記互いに相対する２つの側板の間に配置される仕切板であって、前記互いに相対する２つの側板の間の寸法に対応した幅寸法を有する前記仕切板とを備える。前記箱本体は、ライナと、前記ライナの一面に配されて前記箱本体の内側に臨む支持部材であって、前記箱本体の周方向と直交する高さ方向に延在する直線形状の凹部と凸部とが前記箱本体の周方向に沿って１つずつ交互に並び断面形状が波形状を有する前記支持部材とを備える。前記仕切板は、前記高さ方向に延在する一対の側縁部を備え、前記一対の側縁部が、前記互いに相対する２つの側板の前記凹部に係合されて支持される。
【０００７】
上記構成によれば、仕切板の一対の側縁部が相対する２つの側板の間に挿入され、支持部材の凹部によって支持される。そして、箱本体には、収納物品が収納物品の各面が仕切板に沿うように収納される。したがって、箱本体に収納された収納物品は、仕切板に支持されることで、傾倒することが抑制することができる。
【０００８】
上記包装箱において、前記箱本体は、両面段ボールの一方のライナに、前記支持部材が貼り合わされた構成を備える構成としてもよい。
上記構成によれば、箱本体を、両面段ボールに対して支持部材を設けているので、単なる片面段ボールにより箱本体を構成したときより、強度を高めることができる。
【０００９】
上記包装箱において、前記仕切板は、両面段ボールで構成されており、前記仕切板の中芯における凹凸の延在方向が前記高さ方向に対して交差する方向となるように構成されていてもよい。
【００１０】
上記構成によれば、箱本体の支持部材における凹凸の方向と仕切板の中芯の凹凸の方向が交差するように設けられているので、仕切板によって箱本体を補強することができる。
【００１１】
上記包装箱において、前記互いに相対する２つの側板の間の寸法は、前記収納物品の幅寸法に対応している構成としてもよい。
上記構成によれば、前記互いに相対する２つの側板の間の寸法は、収納物品の幅寸法に対応しているので、収納物品は、仕切板だけでなく相対する２つの側板の凹部によっても支持される。
【考案の効果】
【００１２】
本考案によれば、収納物品が内部で転倒することを抑制することを可能とした包装箱を提供することができる。
【図面の簡単な説明】
【００１３】
【図１】一実施形態における包装箱を示す斜視図。
【図２】（ａ）包装箱の展開図、（ｂ）は、仕切板を示す図。
【図３】箱本体を構成する段ボールの要部断面図。
【図４】収納物品が収納された状態の箱本体および仕切板の要部断面図。
【図５】箱本体に切取線が設けられた包装箱の斜視図。
【考案を実施するための形態】
【００１４】
以下、本考案の一実施の形態を説明する。
図１に示すように、本考案を適用した包装箱１０は、収納物品１を収納する箱本体１１と、箱本体１１の内部を仕切る仕切板２１とを備えている。箱本体１１は、全体形状が直方体形状を有しており、内部に、箱本体１１を収納する収納部１１ａを備えている。収納部１１ａには、矩形形状を有した薄板形状を有する収納物品１が収納される。収納物品１は、例えばレトルト食品のパッケージングするパウチである。パウチは、その周囲がシール部２となっている。パウチは、食品を収容した収容部と、収納部の周囲のシール部２とを備えている。シール部２は、収容部より薄く構成されている。収納物品１は、収納部１１ａに互いにほぼ平行に立てられた状態で収納される。そして、収納部１１ａには、仕切板２１と平行に収納された収納物品１の列の途中に、仕切板２１が挿入されており、仕切板２１は、収納物品１を転倒しないように支持している。
【００１５】
図２（ａ）は、箱本体１１の展開図であり、箱本体１１のブランクシート１１ｂを示している。図２（ｂ）は、仕切板２１の平面図である。箱本体１１のブランクシート１１ｂは、箱本体１１の周面を構成する第１〜第４側板１２ａ〜１２ｄと、箱本体１１の底面を構成する第１〜第４底板１５ａ〜１５ｄとを備えている。第１〜第４側板１２ａ〜１２ｄは、周方向に並び、第１〜第４側板１２ａ〜１２ｄの各々は、矩形形状を有している。第１側板１２ａと第３側板１２ｃとは、相対する側板であって、第２側板１２ｂおよび第４側板１２ｄに対して幅寸法が小さい短側板である。第２側板１２ｂと第４側板１２ｄも、相対する側板であって、第１側板１２ａと第３側板１２ｃに対して幅寸法が長い長側板である。第１側板１２ａは、一方の側辺に沿った折線となる罫線１３ａを介して継ぎ代１３を備えている。継ぎ代１３は、第４側板１２ｄに対して、接着剤やステープルといった接合手段によって接合される。
【００１６】
第１側板１２ａの下辺は、第１下罫線１４ａを介して第１底板１５ａを備え、第２側板１２ｂの下辺は、第２下罫線１４ｂを介して第２底板１５ｂを備え、第３側板１２ｃの下辺は、第３下罫線１４ｃを介して第３底板１５ｃを備え、第４側板１２ｄの下辺は、第４下罫線１４ｄを介して第４底板１５ｄを備えている。第１底板１５ａおよび第３底板１５ｃは、第２底板１５ｂ側に、切欠凹部１６ａ，１６ｃを備えている。第２底板１５ｂは、先端部に、挿入凹部１６ｂを備えている。第４底板１５ｄには、第１〜第３底板１５ａ〜１５ｃが組み合わされたときに、挿入凹部１６ｂに挿入される挿入片１６ｄを備えている。
【００１７】
第１側板１２ａの上辺は、第１上罫線１７ａを介して第１上板１８ａを備え、第２側板１２ｂの上辺は、第２上罫線１７ｂを介して第２上板１８ｂを備え、第３側板１２ｃの上辺は、第３上罫線１７ｃを介して第３上板１８ｃを備え、第４側板１２ｄの上辺は、第４上罫線１７ｄを介して第４上板１８ｄを備えている。第１上板１８ａおよび第３上板１８ｃは、内フラップであり、第２上板１８ｂおよび第４上板１８ｄは、外フラップであり、突き合わせフラップである。
【００１８】
図３に示すように、箱本体１１を構成するブランクシート１１ｂは、段ボールシートであり、中芯と同じ構成を有した支持部材１９ｄが収納部１１ａに臨むように組み立てられる。具体的に、ブランクシート１１ｂは、外面から順に、第１ライナ１９ａと、中芯１９ｂと、第２ライナ１９ｃと、支持部材１９ｄとを備えている。そして、中芯１９ｂは、第１ライナ１９ａと第２ライナ１９ｃとにより挟まれることで、両面段ボールを構成し、第１ライナ１９ａが箱本体１１の外面を構成する。内側に位置する第２ライナ１９ｃに対しては、支持部材１９ｄが貼り合わされている。そして、支持部材１９ｄが収納部１１ａに臨まされる。
【００１９】
支持部材１９ｄは、直線形状の凹部２０ａと凸部２０ｂとが１つずつ交互に並び断面形状が波形状を有している。そして、凹部２０ａと凸部２０ｂの延びる延在方向は、第１〜第４側板１２ａ〜１２ｄの並ぶ周方向に対して直交する箱本体１１の高さ方向である。凹部２０ａの大きさは、仕切板２１が挿入される溝であることから、仕切板２１の厚さに合わせて設定される。支持部材１９ｄは、中芯１９ｂのように強度部材とはならず、仕切板２１の側縁部３や収納物品１の側縁部２１ａを支持できればよいことから、中芯１９ｂより強度の低いものを選択することができる。
【００２０】
図２（ｂ）に示すように、仕切板２１は、第１側板１２ａおよび第３側板１２ｃとほぼ同一の形状を有しており、収納部１１ａにおいて、相対する一対の第２側板１２ｂと第４側板１２ｄとの間に挿入される。例えば、仕切板２１は、第１〜第４側板１２ａ〜１２ｄの高さ寸法、すなわち箱本体１１の高さ寸法Ｈ１と同じ高さ寸法Ｈ２を有しており、第１側板１２ａおよび第３側板１２ｃの幅寸法Ｗ１と同じ幅寸法Ｗ２を有している。通常、一対の第２側板１２ｂと第４側板１２ｄとの間に仕切板２１のような板材を挿入する場合には、板材の挿入作業が困難とならないように、板材の幅寸法を、第１側板１２ａおよび第３側板１２ｃの幅寸法Ｗ１より小さく設定することが多い。しかし、ここでは、板材である仕切板２１には、仕切り機能の他に収納物品１を支持する支持機能を持たせるようにしている。このため、仕切板２１は、その幅寸法Ｗ２が第１側板１２ａおよび第３側板１２ｃの幅寸法Ｗ１と同じとなるように設定され、第１側板１２ａおよび第３側板１２ｃの凹部２０ａに両側縁部２１ａが押し込まれる構成となっている。これにより、仕切板２１は、第１側板１２ａおよび第３側板１２ｃの間に倒れることなくしっかりと支持され、収納物品１もしっかりと支持することができる。仕切板２１は、一例として、収納部１１ａに収納された収納物品１を支持できればよいため、ブランクシート１１ｂほどの強度は不要である。なお、仕切板２１の高さ寸法Ｈ２は、収納物品１を支持可能であれば、第１〜第４側板１２ａ〜１２ｄの高さ寸法、すなわち箱本体１１の高さ寸法Ｈ１より低くてもよい。
【００２１】
また、仕切板２１の中芯の凹凸は、箱本体１１の高さ方向と交差する、例えば直交する横方向に延びるように形成されている。これにより、仕切板２１は、収納部１１ａに設置されたとき、箱本体１１を補強することができる。仕切板２１は、収納部１１ａは、箱本体１１の上側から挿入されるとき、挿入方向と同じ方向に沿って延在する側縁部２１ａを備えている。側縁部２１ａは、凹部２０ａに挿入可能な厚さとなっている。側縁部２１ａは、相対する第２側板１２ｂと第４側板１２ｄの同じ位置、すなわち相対する位置の凹部２０ａに押し込むように挿入される。
【００２２】
収納部１１ａに収納される収納物品１は、矩形形状を有した薄板体、例えばパウチであり、仕切板２１と同じ大きさおよび同じ形状を有している。収納物品１がパウチであるときには、パウチの側縁部３を構成するシール部２を、相対する一対の第２側板１２ｂと第４側板１２ｄの凹部２０ａに挿入することができる。この場合、収納物品１は、仕切板２１に加え、第２側板１２ｂと第４側板１２ｄの凹部２０ａによっても第１側板１２ａおよび第３側板１２ｃの方向に傾倒しないように支持されることになる。
【００２３】
次に、以上のように構成された包装箱１０の組立方法および使用方法について説明する。先ず、継ぎ代１３が第４側板１２ｄの長辺に対して、接着剤やステープルといった接合手段によって接合される。この際、露出している支持部材１９ｄが内側となる環状体とされる。次いで、底面を構成するため、第２底板１５ｂを第２下罫線１４ｂに沿って内側に折曲し、次いで、第１底板１５ａおよび第３底板１５ｃを、第２底板１５ｂと重なるように、第１下罫線１４ａおよび第３下罫線１４ｃに沿って内側に折曲する。これにより、第１底板１５ａおよび第３底板１５ｃは、第２底板１５ｂの挿入凹部１６ｂの一部と重なった状態となる。そして、第４底板１５ｄを第４下罫線１４ｄに沿って内側に折曲し、挿入片１６ｄを第１底板１５ａおよび第３底板１５ｃの外側から内側に向けて挿入凹部１６ｂに挿入する。これにより、底の抜けにくい箱本体１１の底面が構成され、有底の収納部１１ａが構成される。
【００２４】
図４に示すように、一例として、箱本体１１の上面が開いた状態において、収納部１１ａには、仕切板２１が箱本体１１の底面に挿入端が突き当たるまで挿入される。この際、仕切板２１の側縁部２１ａは、第２側板１２ｂと第４側板１２ｄの相対する位置にある凹部２０ａに挿入され支持される。次いで、仕切板２１で仕切られた収納部１１ａには、収納物品１が第１側板１２ａおよび第３側板１２ｃと平行な状態で収納部１１ａに挿入される。また、収納物品１は、収納物品１の各面が仕切板２１に沿うように挿入される。これにより、仕切板２１は、収納部１１ａに収納された収納物品１を支持し、第１側板１２ａおよび第３側板１２ｃの方向に傾倒することを抑制することができる。
【００２５】
また、一例として、収納部１１ａには、先に、収納物品１を、第１側板１２ａおよび第３側板１２ｃと平行な状態で挿入し、次いで、収納部１１ａ内で配列された収納物品１の間に仕切板２１を、箱本体１１の底面に挿入端が突き当たるまで挿入する。
【００２６】
収納部１１ａに収納物品１を収納する作業が終了すると、上面が閉塞される。具体的に、第１上板１８ａおよび第３上板１８ｃが第１上罫線１７ａおよび第３上罫線１７ｃに沿って内側に折曲され、次いで、第２上板１８ｂおよび第４上板１８ｄが第２上罫線１７ｂおよび第４上罫線１７ｄに沿って内側に折曲される。この後、第２上板１８ｂおよび第４上板１８ｄは、その突き合わせ部が粘着テープ、ステープルなどにより接合される。また、第２上板１８ｂおよび第４上板１８ｄは、第１上板１８ａおよび第３上板１８ｃに対して接着剤などの接着手段によって接合される。収納部１１ａに収納された収納物品１の取り出しは、第１〜第４上板１８ａ〜１８ｄを開いて行われる。
【００２７】
以上説明したように、上記実施の形態によれば、以下の効果が得られる。
（１）仕切板２１の側縁部２１ａは、相対する第２側板１２ｂと第４側板１２ｄの凹部２０ａに挿入され、支持される。支持部材１９ｄは、凹部２０ａと凸部２０ｂとによって、仕切板２１を支持することができる。
【００２８】
（２）仕切板２１は、収納部１１ａに収納された収納物品１が収納部１１ａに収納された状態で第１側板１２ａおよび第３側板１２ｃの方向に傾倒することを抑制することができる。したがって、包装箱１０が開封され収納物品１が箱本体１１に収納されたままの状態で陳列されるときであっても、収納部１１ａ内で、収納物品１が傾倒し、見栄えが悪くなることを防ぐことができる。
【００２９】
（３）収納部１１ａに収納されている状態で繰り返し収納物品１が第１側板１２ａおよび第３側板１２ｃの方向に傾倒することが抑制されることで、商品である収納物品１、例えばシール部２の部分などが損傷することを抑制することができる。
【００３０】
（４）収納部１１ａに収納物品１が収納された状態において、収納物品１が凹部２０ａに支持されているとき、凸部２０ｂの部分は互いに隣接する収納物品１の間に若干の隙間を形成する。これにより、収納部１１ａ内における通気性を向上させることができる。
【００３１】
（５）箱本体１１に使用される段ボールは、中芯１９ｂが第１ライナ１９ａと第２ライナ１９ｃとにより挟まれた両面段ボールに対して支持部材１９ｄを設けているので、単なる片面段ボールで箱本体１１を構成し露出した中芯を支持部材１９ｄとして用いた場合より強度を高めることができる。
【００３２】
（６）支持部材１９ｄは、中芯１９ｂより段を高くし凹部２０ａを大きくしたときには、仕切板２１には、収納物品１を十分支持可能な厚さ、すなわち強度を有した段ボールを使用することができる。
【００３３】
（７）箱本体１１の支持部材１９ｄにおける凹凸の方向と仕切板２１の中芯の凹凸の方向が交差するように設けられているので、仕切板２１によって箱本体１１を補強することができる。
【００３４】
（８）第１側板１２ａおよび第３側板１２ｃの幅寸法Ｗ１が収納物品１の花寸法に対応しているとき、収納物品１の側縁部３を一対の第２側板１２ｂと第４側板１２ｄの凹部２０ａに挿入することができる。この場合、収納物品１を、仕切板２１に加え、第２側板１２ｂと第４側板１２ｄの凹部２０ａによっても支持することができる。
【００３５】
なお、上記実施の形態は、以下のように変更して実施することもできる。
・図５に示すように、箱本体１１は、第１〜第４側板１２ａ〜１２ｄに亘って切取線２２を設けて、箱本体１１の上部部分２３を容易に除去できるようにしてもよい。箱本体１１の上部部分２３を除去したときには、第１〜第４上板１８ａ〜１８ｄを開封したときより、収納物品１の上部部分を露出させることができ、収納部１１ａに収納された収納物品１をより見やすくなり、また、１つずつ取り出しやすくなる。
【００３６】
・ミシン目などで構成された切取線２２は、第１〜第４上板１８ａ〜１８ｄの全てに設けられていなくてもよい。例えば商品棚の隠れる背面以外の３面（正面と右側面と左側面）に切取線２２を設けて上部部分２３を取り除くことができるようにしてもよい。
【００３７】
・収納物品１は、第１側板１２ａおよび第３側板１２ｃの幅寸法Ｗ１と同じ幅寸法を有していなくてもよい。このような場合にも、収納物品１は、凹部２０ａに支持された仕切板２１によって、収納物品１は支持されるからである。したがって、収納物品１としては、薄板形状を有する物品であれば、その形状は、矩形形状以外の形状、円形、楕円形、５角形以上の多角形などであってもよい。また、収納物品１としては、パウチに限定されるものではない。
【００３８】
・支持部材１９ｄは、仕切板２１を凹部２０ａに支持可能であれば、段の高さが中芯１９ｂと同じであってもよいし、中芯１９ｂより低くてもよい。
・箱本体１１は、両面段ボールと同程度の強度を有する厚紙に対して、支持部材１９ｄを設けた片面段ボールで構成してもよい。
【００３９】
・仕切板２１の側縁部２１ａは、第２側板１２ｂと第４側板１２ｄの相対する位置にある凹部２０ａに挿入されなくても、若干ずれた位置にある凹部２０ａに挿入されてもよい。
【００４０】
・第２側板１２ｂと第４側板１２ｄの間に配置され仕切板２１は、収納部１１ａに１枚だけ差し込むようにしてもよいし、複数枚を差し込むようにしてもよい。
・仕切板２１は、第１側板１２ａおよび第３側板１２ｃの間に配置されてもよい。この場合、仕切板２１の幅は、第１側板１２ａおよび第３側板１２ｃの幅に対応した寸法となる。また、第１側板１２ａおよび第３側板１２ｃの間に仕切板２１を配置し、加えて第２側板１２ｂおよび第４側板１２ｄの間にも仕切板２１を配置するようにしてもよい。この場合、十字状に配置された２枚の仕切板２１によって、４つの収納部１１ａが区画され、各収納部１１ａに収納物品１が収納されることになる。この場合、収納物品１は、何れかの仕切板２１と収納物品１の面が平行となるように収納部１１ａに収納される。
【００４１】
・箱本体１１としては、周面に、相対する２つの側板を有する形状であれば特に限定されるものではなく、六角柱や八角柱などの相対する側板を有するｎ角柱（ｎ＝偶数）であってもよい。
【００４２】
・仕切板２１は、段ボールではなく厚紙や合成樹脂製の板材であってもよい。
・仕切板２１の高さは、箱本体１１の高さより低くてもよい。
・仕切板２１は、収納物品１を支持する強度を確保できるのであれば、１つまたは複数の貫通孔を備えていてもよい。
【００４３】
・第１〜第４底板１５ａ〜１５ｄによる箱本体１１の底面構造は、上述の例に限定されるものではなく、例えば、第１〜第４上板１８ａ〜１８ｄで構成される上面のような構成であってもよい。また、第１〜第４上板１８ａ〜１８ｄで構成される上面構造も、上述の例に限定されるものではない。
【符号の説明】
【００４４】
１…収納物品、２…シール部、３…側縁部、１０…包装箱、１１…箱本体、１１ａ…収納部、１１ｂ…ブランクシート、１２ａ…第１側板、１２ｂ…第２側板、１２ｃ…第３側板、１２ｄ…第４側板、１３…継ぎ代、１３ａ…罫線、１４ａ…第１下罫線、１４ｂ…第２下罫線、１４ｃ…第３下罫線、１４ｄ…第４下罫線、１５ａ…第１底板、１５ｂ…第２底板、１５ｃ…第３底板、１５ｄ…第４底板、１６ａ…切欠凹部、１６ｂ…挿入凹部、１６ｃ…切欠凹部、１６ｄ…挿入片、１７ａ…第１上罫線、１７ｂ…第２上罫線、１７ｃ…第３上罫線、１７ｄ…第４上罫線、１８ａ…第１上板、１８ｂ…第２上板、１８ｃ…第３上板、１８ｄ…第４上板、１９ａ…第１ライナ、１９ｂ…中芯、１９ｃ…第２ライナ、１９ｄ…支持部材、２０ａ…凹部、２０ｂ…凸部、２１…仕切板、２１ａ…側縁部、２２…切取線、２３…上部部分。
【図１】
0003208297.tif 000003
【図２】
0003208297.tif 000004
【図３】
0003208297.tif 000005
【図４】
0003208297.tif 000006
【図５】
0003208297.tif 000007
【手続補正書】
【提出日】平成28年11月9日(2016.11.9)
【手続補正１】
【補正対象書類名】実用新案登録請求の範囲
【補正対象項目名】請求項１
【補正方法】変更
【補正の内容】
【請求項１】
互いに相対する２つの側板を周面に備え、前記２つの側板で挟まれた空間に、薄板形状を有する収納物品が収納される箱本体と、
前記箱本体における前記互いに相対する２つの側板の間に配置される仕切板であって、前記互いに相対する２つの側板の間の寸法に対応した幅寸法を有する前記仕切板とを備え、
前記箱本体は、ライナと、前記ライナの一面に配されて前記箱本体の内側に臨む支持部材であって、前記箱本体の周方向と直交する高さ方向に延在する直線形状の凹部と凸部とが前記箱本体の周方向に沿って１つずつ交互に並び断面形状が波形状を有する前記支持部材とを備え、
前記仕切板は、前記高さ方向に延在する一対の側縁部を備え、前記一対の側縁部が、前記互いに相対する２つの側板の前記凹部に係合されて支持される
包装箱。
【手続補正２】
【補正対象書類名】明細書
【補正対象項目名】０００６
【補正方法】変更
【補正の内容】
【０００６】
上記課題を解決するための包装箱は、互いに相対する２つの側板を周面に備え、前記２つの側板で挟まれた空間に、薄板形状を有する収納物品が収納される箱本体と、前記箱本体における前記互いに相対する２つの側板の間に配置される仕切板であって、前記互いに相対する２つの側板の間の寸法に対応した幅寸法を有する前記仕切板とを備える。前記箱本体は、ライナと、前記ライナの一面に配されて前記箱本体の内側に臨む支持部材であって、前記箱本体の周方向と直交する高さ方向に延在する直線形状の凹部と凸部とが前記箱本体の周方向に沿って１つずつ交互に並び断面形状が波形状を有する前記支持部材とを備える。前記仕切板は、前記高さ方向に延在する一対の側縁部を備え、前記一対の側縁部が、前記互いに相対する２つの側板の前記凹部に係合されて支持される。